(57)【要約】【課題】２タッチ入力方式によって文字を入力する場合に誤入力の虞れを低減する。【解決手段】文字を表示するディスプレイ１０と、文字の選択を受け付けるタッチパネル２０と、５０音配列の行または列の先頭文字の一覧をディスプレイ１０に表示し、該表示された先頭文字の一覧のうち１つの文字がタッチパネル２０を介して選択されると、該選択された文字を先頭文字とする５０音配列の文字列を、選択された文字が、５０音配列の行または列の先頭文字の一覧がディスプレイ１０に表示されていた状態と同一の位置に配置されるようにディスプレイ１０に表示する。【選択図】図１
2013186802.tif 000002
【特許請求の範囲】
【請求項１】
文字を表示する表示手段と、文字の選択を受け付ける入力手段と、５０音配列の行または列の先頭文字の一覧を前記表示手段に表示し、該表示された先頭文字の一覧のうち１つの文字が前記入力手段を介して選択されると、該選択された文字を５０音配列の行または列の先頭文字とする文字列を前記表示手段に表示し、該表示された文字列のうち１つの文字が前記入力手段を介して選択されることによって当該文字の入力を受け付ける制御手段とを有する文字入力装置において、
前記制御手段は、前記表示手段に表示された先頭文字の一覧のうち１つの文字が前記入力手段を介して選択された場合、該選択された文字を５０音配列の行または列の先頭文字とする文字列を、当該選択された文字が、５０音配列の行または列の先頭文字の一覧が前記表示手段に表示されていた状態と同一の位置に配置されるように前記表示手段に表示することを特徴とする文字入力装置。
【請求項２】
請求項１に記載の文字入力装置において、
前記制御手段は、前記表示手段に表示された先頭文字の一覧のうち１つの文字が前記入力手段を介して選択された場合、該選択された文字を５０音配列の行または列の先頭文字とする文字列についての変換候補を前記表示手段に表示する文字入力装置。
【請求項３】
請求項２に記載の文字入力装置において、
前記制御手段は、前記変換候補を、使用頻度に応じた配置で前記表示手段に表示する文字入力装置。
【請求項４】
文字を表示する表示手段と、文字の選択を受け付ける入力手段と、５０音配列の行または列の先頭文字の一覧を前記表示手段に表示し、該表示された先頭文字の一覧のうち１つの文字が前記入力手段を介して選択されると、該選択された文字を５０音配列の行または列の先頭文字とする文字列を前記表示手段に表示し、該表示された文字列のうち１つの文字が前記入力手段を介して選択されることによって当該文字の入力を受け付ける制御手段とを有する文字入力装置における文字入力方法であって、
前記制御手段が、前記表示手段に表示された先頭文字の一覧のうち１つの文字が前記入力手段を介して選択された場合、該選択された文字を５０音配列の行または列の先頭文字とする文字列を、当該選択された文字が、５０音配列の行または列の先頭文字の一覧が前記表示手段に表示されていた状態と同一の位置に配置されるように前記表示手段に表示する文字入力方法。
【請求項５】
請求項４に記載の文字入力方法において、
前記制御手段が、前記表示手段に表示された先頭文字の一覧のうち１つの文字が前記入力手段を介して選択された場合、該選択された文字を５０音配列の行または列の先頭文字とする文字列についての変換候補を前記表示手段に表示する文字入力方法。
【請求項６】
請求項５に記載の文字入力方法において、
前記制御手段が、前記変換候補を、使用頻度に応じた配置で前記表示手段に表示する文字入力方法。
【発明の詳細な説明】
【技術分野】
【０００１】
本発明は、携帯端末装置に用いられる文字入力装置及び方法に関する。
【背景技術】
【０００２】
携帯電話機やＰＨＳ（Personal Handyphone System）等のタッチパネルにて文字入力を行う場合、多くは、タッチパネルの限られた物理スペースの中でそれぞれの文字入力キーがアサインされており、指でのタッチによる操作はミスタッチの可能性を多く孕んでおり、ユーザにとって簡単に文字入力ができるＵＩの需要は高いものと思われる。
【０００３】
このように文字を入力する文字入力装置として、５０音の列方向の先頭文字を選択させた後、その文字を先頭とする列方向の文字を選択させる、いわゆるポケベル方式と呼ばれる２タッチ入力方式が利用されている（例えば、特許文献１参照。）
【先行技術文献】
【特許文献】
【０００４】
【特許文献１】特開２００２−９９３７７号公報
【発明の概要】
【発明が解決しようとする課題】
【０００５】
上述した技術においては、例えば、子音（あかさたなはまやらわ）選択で「あ」以外の子音文字列を選択すると、選択した子音文字列の先頭文字が、「あ」が表示されていた領域に表示されることになるため、その先頭文字を入力したい場合、１タッチ目と２タッチ目とで指をずらして入力する必要があり、画面表示を見ながら入力するユーザにとっては最初の子音表示に引きずられて誤操作が生じやすいという問題点がある。
【０００６】
本発明は、上述したような技術が有する問題点に鑑みてなされたものであって、２タッチ入力方式によって文字を入力する場合に誤入力の虞れを低減することができる文字入力装置及び方法を提供することを目的とする。
【課題を解決するための手段】
【０００７】
上記目的を達成するために本発明は、
文字を表示する表示手段と、文字の選択を受け付ける入力手段と、５０音配列の行または列の先頭文字の一覧を前記表示手段に表示し、該表示された先頭文字の一覧のうち１つの文字が前記入力手段を介して選択されると、該選択された文字を５０音配列の行または列の先頭文字とする文字列を前記表示手段に表示し、該表示された文字列のうち１つの文字が前記入力手段を介して選択されることによって当該文字の入力を受け付ける制御手段とを有する文字入力装置において、
前記制御手段は、前記表示手段に表示された先頭文字の一覧のうち１つの文字が前記入力手段を介して選択された場合、該選択された文字を５０音配列の行または列の先頭文字とする文字列を、当該選択された文字が、５０音配列の行または列の先頭文字の一覧が前記表示手段に表示されていた状態と同一の位置に配置されるように前記表示手段に表示することを特徴とする。
【０００８】
また、文字を表示する表示手段と、文字の選択を受け付ける入力手段と、５０音配列の行または列の先頭文字の一覧を前記表示手段に表示し、該表示された先頭文字の一覧のうち１つの文字が前記入力手段を介して選択されると、該選択された文字を５０音配列の行または列の先頭文字とする文字列を前記表示手段に表示し、該表示された文字列のうち１つの文字が前記入力手段を介して選択されることによって当該文字の入力を受け付ける制御手段とを有する文字入力装置における文字入力方法であって、
前記制御手段が、前記表示手段に表示された先頭文字の一覧のうち１つの文字が前記入力手段を介して選択された場合、該選択された文字を５０音配列の行または列の先頭文字とする文字列を、当該選択された文字が、５０音配列の行または列の先頭文字の一覧が前記表示手段に表示されていた状態と同一の位置に配置されるように前記表示手段に表示する。
【発明の効果】
【０００９】
以上説明したように本発明によれば、２タッチ入力方式において１タッチ目と２タッチ目とで同一の文字を選択する場合にその表示位置が同一の位置となるため、誤入力の虞れを低減することができる。
【図面の簡単な説明】
【００１０】
【図１】本発明の文字入力装置の実施の一形態を示すブロック図である。
【図２】図１に示した文字入力装置の動作の一例を説明するための図である。
【図３】図１に示した文字入力装置の他の例を説明するためのシーケンスチャートである。
【図４】図３に示したシーケンスチャートに基づく動作を説明するための図である。
【図５】図４（ｂ）に示したステップａ’における処理を説明するためのシーケンス図である。
【図６】図５に示す処理による文字の配置位置を説明するための図である。
【発明を実施するための形態】
【００１１】
以下に、本発明の実施の形態について図面を参照して説明する。
【００１２】
図１は、本発明の文字入力装置の実施の一形態を示すブロック図である。
【００１３】
本形態は図１に示すように、文字等を表示する表示手段となるディスプレイ１０と、文字の選択等を受け付ける入力手段となるタッチパネル２０と、制御手段となるＣＰＵ３０、ＲＯＭ／ＲＡＭ４０及びプログラム５０とを有する２タッチ入力方式の文字入力装置である。プログラム５０は、タッチパネル２０を介しての入力を制御する文字入力機能と、タッチパネルを介して入力された文字に対して入力頻度の高い文字列を予測し、頻度に当たる係数と文字列とを頻度の高い順に出力する予測変換機能と、これら結果を利用するアプリ機能とを有し、ＲＯＭ／ＲＡＭ４０にデータとともに記憶されている。
【００１４】
上記のように構成された文字入力装置においては、ＣＰＵ３０の制御によって５０音配列の列の先頭文字の一覧がディスプレイ１０に表示され、表示された先頭文字の一覧のうち１つの文字がタッチパネル２０を介して選択されると、ＣＰＵ３０の制御によって、その選択された文字を５０音配列の列の先頭文字とする文字列がディスプレイ１０に表示され、その表示された文字列のうち１つの文字がタッチパネル２０を介して選択されることによって文字の入力が受け付けられる。
【００１５】
以下に、図１に示した文字入力装置の具体的な動作について、「か」を入力する場合の動作を例に挙げて説明する。
【００１６】
図２は、図１に示した文字入力装置の動作の一例を説明するための図である。
【００１７】
図１に示した文字入力装置に「か」を入力する場合は、ディスプレイ１０に５０音配列の列の先頭文字が表示されている状態において、まず、図２（ａ）に示すように、ステップＡとして、５０音配列の列の先頭文字の一覧「あ」、「か」、「さ」、「た」、「な」、「は」、「ま」、「や」、「ら」、「わ」のうち、「か」がタッチパネル２０を介して選択される。
【００１８】
すると、従来の文字入力装置においては、図２（ｂ）に示すように、選択された「か」を５０音配列の列の先頭文字とする文字列「か」、「き」、「く」、「け」、「こ」が表示される。その際、「か」が先頭文字であることから、図中左上に表示されることとなり、それにより、５０音配列の列の先頭文字の一覧「あ」、「か」、「さ」、「た」、「な」、「は」、「ま」、「や」、「ら」、「わ」の中から「か」を選択する際の表示位置と、「か」を５０音配列の列の先頭文字とする文字列「か」、「き」、「く」、「け」、「こ」の中から「か」を選択する際の表示位置とが互いに異なるものとなる。
【００１９】
そのため、ステップＢとして、「か」を５０音配列の列の先頭文字とする文字列「か」、「き」、「く」、「け」、「こ」の中から「か」を選択する際、ステップＡにおける１タッチ目とステップＢにおける２タッチ目とで、指をずらして違う位置をタッチしなければならなくなり、誤入力の虞れがあった。
【００２０】
これに対して本形態における文字入力装置においては、ディスプレイ１０に表示されている５０音配列の列の先頭文字の一覧「あ」、「か」、「さ」、「た」、「な」、「は」、「ま」、「や」、「ら」、「わ」の中から「か」がタッチパネル２０を介して選択されると、ＣＰＵ３０の制御によって、選択された「か」を５０音配列の列の先頭文字とする文字列「か」、「き」、「く」、「け」、「こ」がディスプレイ１０に表示されるが、図２（ｃ）に示すように、「か」が、５０音配列の列の先頭文字の一覧「あ」、「か」、「さ」、「た」、「な」、「は」、「ま」、「や」、「ら」、「わ」の中から「か」を選択する際の表示位置と同一の位置に配置されるように制御され、この「か」の周囲に、残りの「き」、「く」、「け」、「こ」が表示されることになる。
【００２１】
これにより、ステップＣとして、「か」を５０音配列の列の先頭文字とする文字列「か」、「き」、「く」、「け」、「こ」の中から「か」を選択する際、タッチパネル２０に対するステップＡにおける１タッチ目とステップＣにおける２タッチ目とで、同じ位置をタッチすれば良くなり、誤入力が低減されることになる。
【００２２】
なお、本形態においては、ディスプレイ１０に５０音配列の列の先頭文字の一覧「あ」、「か」、「さ」、「た」、「な」、「は」、「ま」、「や」、「ら」、「わ」が表示されている状態からこれらいずれかを入力する場合を例に挙げて説明したが、５０音配列の行の先頭文字の一覧「あ」、「い」、「う」、「え」、「お」がディスプレイ１０に表示されている状態からこれらのいずれかを選択し、選択された文字を５０音配列の行の先頭文字とする文字列を表示する場合についても同様に行われることになる。
【００２３】
このように、本形態においては、２タッチ入力方式において１タッチ目と２タッチ目とで同一の文字を選択する場合にその表示位置が同一の位置となるため、誤入力の虞れを低減することができる。
【００２４】
ここで、上述したような２タッチ入力方式においては、予測入力機能として、２タッチ入力で母音列選択を行った後にひらがな文字が確定し、その後に関連文字等の候補表示が表示されるため、関連文字の入力には３タッチ以上のステップ数が必要となり、ユーザにストレスが生じやすかった。
【００２５】
以下に、図１に示した文字入力装置において、少ないステップ数にて入力したい文字に到達するための動作について説明する。
【００２６】
図３は、図１に示した文字入力装置の他の例を説明するためのシーケンスチャートであり、図４は、図３に示したシーケンスチャートに基づく動作を説明するための図である。
【００２７】
従来の２タッチ方式で「可」という文字を入力する場合は、図４（ａ）に示すように、まず、ステップ１において、５０音配列の列の先頭文字「あ」、「か」、「さ」、「た」、「な」、「は」、「ま」、「や」、「ら」、「わ」が表示されている状態から、１タッチ目の操作によって「か」が選択される。
【００２８】
次に、ステップ２において、「か」行の文字列が表示されている文字入力画面に対して、２タッチ目の操作によって「か」が選択されると、予測変換プログラムに「か」が渡され、「か」に関連した「可」、「化」、「か」等の文字が予測変換画面に表示される。
【００２９】
その後、ステップ３において、予測変換画面において「可」、「化」、「か」等の候補の中から本来入力したい「可」が選択されると、表示アプリケーションを介して「可」が表示されることになる。
【００３０】
これに対して本形態における文字入力装置においては、図４（ｂ）に示すように、まず、ステップａにおいて、ディスプレイ１０に表示されている５０音配列の列の先頭文字の一覧「あ」、「か」、「さ」、「た」、「な」、「は」、「ま」、「や」、「ら」、「わ」の中から「か」がタッチパネル２０を介して選択されると、「か」行の文字列「か」、「き」、「く」、「け」、「こ」が文字変換プログラムに渡される。
【００３１】
そして、文字変換プログラムによって、予測変換辞書を用いて、「か」行の文字列「か」、「き」、「く」、「け」、「こ」について予測変換が行われる。その際、予測変換辞書からは、「か」、「き」、「く」、「け」、「こ」についての予測変換文字が、「可」、「か」、「紀」、「区」、「毛」、「子」、「き」、「く」、「こ」、「け」等の「か」行の「ひらがな」と「漢字」とが混合した状態にて使用頻度の高い順に戻ってくるが、ステップａ’において、これら「可」、「か」、「紀」、「区」、「毛」、「子」、「き」、「く」、「こ」、「け」について並び替えが行われる。
【００３２】
図５は、図４（ｂ）に示したステップａ’における処理を説明するためのシーケンス図であり、図６は、図５に示す処理による文字の配置位置を説明するための図である。
【００３３】
ステップａ’においては、予測変換辞書から戻ってきた文字について、「か」以外のひらがな文字がソートされ、ＣＰＵ３０の制御によって、使用頻度の高いひらがな順に図６に示すＡ〜Ｄの位置に配置され、また、それ以外の漢字については使用頻度の高い漢字から図６に示すＥ〜Ｉの位置に配置され、これらがディスプレイ１０に表示されることになる。
【００３４】
その後、ステップｂにおいて、この予測変換画面において本来入力したい「可」が選択されると、予測変換画面において複数候補から「可」が選択されることにより、表示アプリケーションを介して「可」がディスプレイ１０に表示される。
【００３５】
図４に示したように、本形態における文字入力方法においては、従来の文字入力方法における２つのステップ１，２が１つのステップａに包括されている。この際、予測変換画面プログラムに渡される文字列が従来の方法では「か」であるのに対して、本形態においては「か」行である点と、その結果、予測変換画面に到達するまでのステップ数が互いに異なる。
【００３６】
なお、本形態では、「か」行の予測変換出力をソートする処理を例に挙げて説明したが、最初にひらがなだけを抽出し、再度同じ処理でひらがなを除外する手順で、ひらがなと、それ以外の予測変換候補を得てもよい。
【００３７】
また、本形態においては、ディスプレイ１０の左上を基準点に、左上から右下方向へ順列に文字を配置した例を説明したが、これは、文字入力装置の下側にキーが配置されていることにより、装置の右下側を右手で握る想定で指で隠れにくい、操作しやすい場所としての順位に応じたものであり、文字の配置は、装置の形状や保持場所、キーの配置位置によって適宜変更してよい。
【００３８】
また、ここではひらがなも予測変換候補として扱ったが、図２に示したような所定の順に配置してもよい。
【００３９】
また、本形態においても、５０音配列の列の先頭文字「あ」、「か」、「さ」、「た」、「な」、「は」、「ま」、「や」、「ら」、「わ」が表示されている状態からこれらいずれかを入力する場合を例に挙げて説明したが、５０音配列の行の先頭文字「あ」、「い」、「う」、「え」、「お」がディスプレイ１０に表示されている状態からこれらのいずれかを選択し、選択された文字と、この文字を５０音配列の行の先頭文字とする文字列の候補を表示する場合についても同様に行われることになる。
【００４０】
このように、本形態においては、２タッチ入力方式において１タッチ目の入力に対して、その文字を５０音配列の列の先頭文字とする文字列について変換候補が表示されるので、少ないステップ数で入力したい文字に到達することができ、文字入力時のストレスを軽減できる。
【００４１】
（他の実施の形態）
上述した実施の形態においては、予測変換辞書の機能の例として、「か」行全体での使用頻度が高い文字を得て処理を行うものを例に挙げて説明したが、「か」、「き」、「く」、「け」、「こ」（場合によっては、「が」、「ぎ」、「ぐ」、「げ」、「ご」も）それぞれ個別に予測変換処理を行い、それぞれの結果を後でマージしてもよい。さらに、予測変換候補の表示が「か」行で混在したが、「か」、「き」、「く」、「け」、「こ」それぞれの使用頻度の高いものを「か」の予測候補位置、「き」の予測候補位置等、ディスプレイ１０の所定の場所に表示してもよい。
【００４２】
また、全てのひらがなが予測変換辞書から出力されるのを待たずに候補を表示する構成としてもよい。ひらがなの使用頻度の少ない場合は予測変換からの出力データサイズや時間等から中断し、使用頻度の高いひらがなを並べて表示した後に所定の順序に並べて表示してもよい。
【００４３】
上述した文字入力装置は、携帯電話機、ＰＨＳ（Personal Handyphone System）、ＰＤＡ（Personal Data Assistance，Personal Digital Assistants：個人向け携帯型情報通信機器）等の携帯端末装置に用いることが考えられる。
【符号の説明】
【００４４】
１０    ディスプレイ
２０    タッチパネル
３０    ＣＰＵ
４０    ＲＯＭ／ＲＡＭ
５０    プログラム
【図１】
2013186802.tif 000003
【図２】
2013186802.tif 000004
【図３】
2013186802.tif 000005
【図４】
2013186802.tif 000006
【図５】
2013186802.tif 000007
【図６】
2013186802.tif 000008